【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
少なくとも１種類の３重量％以下の不飽和炭化水素と、−９０℃から０℃の沸点を有する少なくとも１種類の飽和炭化水素とを含有する炭化水素系冷媒と、
前記冷媒と相溶性を有する冷凍機油とを含むことを特徴とする冷凍サイクル用組成物。
【請求項２】
前記炭化水素系冷媒に含有される前記飽和炭化水素は、エタン、プロパン、ブタン、イソブタンおよびシクロプロパンからなる群より選択される少なくとも１種であることを特徴とする請求項１記載の冷凍サイクル用組成物。
【請求項３】
前記冷凍機油はナフテン系鉱油、パラフィン系鉱油およびアルキルベンゼン系合成油からなる群より選ばれる少なくとも１種であり、極圧添加剤としてトリクレジルホスフェートおよびトリフェニルホスフェートからなる群より選ばれる少なくとも１種が２重量％以下添加されていることを特徴とする請求項１記載の冷凍サイクル用組成物。
【請求項４】
前記冷凍機油は、酸化防止剤、酸捕捉剤、金属不活性剤、油性剤および消泡剤のうち少なくとも１種が添加されていることを特徴とする請求項１または３記載の冷凍サイクル用組成物。
【請求項５】
請求項１記載の冷凍サイクル用組成物を用いる系において収容される乾燥剤であって、細孔径が３．５オングストローム以下で、Ｎａ・Ｋ型アルミノケイ酸塩を含有するＡ型合成ゼオライトからなることを特徴とする乾燥剤。
【請求項６】
前記乾燥剤は、破壊強度が５．０kg以上、摩耗強度が０．１重量％以下であることを特徴とする請求項５記載の乾燥剤。
【請求項７】
電線を備えた回転子と固定子とからなる電動機と、前記電動機に駆動連結される圧縮機構と、請求項１記載の冷凍サイクル用組成物とを具備することを特徴とする冷媒圧縮機。
【請求項８】
前記電線に配設される絶縁部材は、ポリエチレンテレフタレート、ポリエチレンナフタレート、ポリフェニレンサルファイド、ポリブチレンテレフタレート、ポリサルホン、ポリエーテルエーテルケトン、ポリアミドイミドおよびポリイミドからなる群より選択される少なくとも１種の材質からなり、前記電線は、ポリエステルイミド、ポリアミドイミド、ポリアミドおよびポリイミドからなる群より選択される少なくとも１種の絶縁被覆層を有するシングルコートエナメル線、少なくとも２種の絶縁被覆層を有する多層コートエナメル線、または前記エナメル線と繊維もしくはフィルムとを組み合わせた複合電線から選ばれることを特徴とする請求項７記載の冷媒圧縮機。
【請求項９】
前記ポリエチレンテレフタレートは、０．６重量％以下のオリゴマーを含有していることを特徴とする請求項８記載の冷媒圧縮機。
【請求項１０】
前記電線には固定するためにしばり糸が巻き付けられており、前記しばり糸はポリエチレンテレフタレート、ポリエチレンナフタレート、ポリフェニレンサルファイド、ポリブチレンテレフタレート、ポリサルホン、ポリエーテルエーテルケトン、ポリアミドイミドおよびポリイミドからなる群より選択される少なくとも１種の材質からなることを特徴とする請求項７記載の冷媒圧縮機。
【請求項１１】
ポリエチレンテレフタレート、ポリエチレンナフタレート、ポリフェニレンサルファイド、ポリブチレンテレフタレートおよびポリサルホンからなる群より選択される少なくとも１種の材質からなる消音器および接続端子カバーをさらに具備することを特徴とする請求項７記載の冷媒圧縮機。
【請求項１２】
請求項１記載の冷凍サイクル用組成物と、請求項５記載の乾燥剤と、請求項７記載の冷媒圧縮機とを具備することを特徴とする冷凍装置。
【手続補正２】
【補正対象書類名】明細書
【補正対象項目名】００１０
【補正方法】変更
【補正の内容】
【００１０】
【課題を解決するための手段】
本発明の冷凍サイクル用組成物は、少なくとも１種類の３重量％以下の不飽和炭化水素と、−９０℃から０℃の沸点を有する少なくとも１種類の飽和炭化水素とを含有する炭化水素系冷媒と、前記冷媒と相溶性を有する冷凍機油とを含むことを特徴としている。
【手続補正３】
【補正対象書類名】明細書
【補正対象項目名】００１４
【補正方法】変更
【補正の内容】
【００１４】
本発明の冷凍サイクル用組成物において、前記炭化水素系冷媒における前記不飽和炭化水素の含有量は３重量％以下である。
【手続補正４】
【補正対象書類名】明細書
【補正対象項目名】００１６
【補正方法】変更
【補正の内容】
【００１６】
本発明の冷凍サイクル用組成物において、前記炭化水素系冷媒に含有される前記飽和炭化水素は、エタン、プロパン、ブタン、イソブタンおよびシクロプロパンからなる群より選択される少なくとも１種であることを特徴としている。
【手続補正５】
【補正対象書類名】明細書
【補正対象項目名】００１７
【補正方法】変更
【補正の内容】
【００１７】
本発明の冷凍サイクル用組成物において、前記飽和炭化水素は、エタンとプロパンであることを特徴としている。また、本発明の冷凍サイクル用組成物において、前記飽和炭化水素は、プロパンとイソブタンであることを特徴としている。
【手続補正６】
【補正対象書類名】明細書
【補正対象項目名】００２０
【補正方法】変更
【補正の内容】
【００２０】
本発明の冷凍サイクル用組成物において、前記冷媒は、付臭剤を添加されていることを特徴としている。このように、本発明によれば、冷媒に付臭剤を添加、あるいは検知感度の高い気体をイナートとして添加する。
【手続補正７】
【補正対象書類名】明細書
【補正対象項目名】００２４
【補正方法】変更
【補正の内容】
【００２４】
本発明の冷凍サイクル用組成物において、前記冷凍機油はナフテン系鉱油、パラフィン系鉱油およびアルキルベンゼン系合成油からなる群より選ばれる少なくとも１種であり、極圧添加剤としてトリクレジルホスフェートおよびトリフェニルホスフェートからなる群より選ばれる少なくとも１種が２重量％以下添加されていることを特徴としている。
【手続補正８】
【補正対象書類名】明細書
【補正対象項目名】００２８
【補正方法】変更
【補正の内容】
【００２８】
本発明の冷凍サイクル用組成物において、前記冷凍機油は、極圧添加剤を添加されている。
【手続補正９】
【補正対象書類名】明細書
【補正対象項目名】００３０
【補正方法】変更
【補正の内容】
【００３０】
本発明の冷凍サイクル用組成物において、前記極圧添加剤は、トリクレジルホスフェート（ＴＣＰ）、トリフェニルホスフェート（ＴＰＰ）である。
【手続補正１０】
【補正対象書類名】明細書
【補正対象項目名】００３１
【補正方法】変更
【補正の内容】
【００３１】
本発明の冷凍サイクル用組成物において、前記冷凍機油中の前記極圧添加剤の含有量は２重量％以下である。極圧添加剤の添加量は、好ましくは０．１〜１．０重量％である。
【手続補正１１】
【補正対象書類名】明細書
【補正対象項目名】００３２
【補正方法】変更
【補正の内容】
【００３２】
本発明の冷凍サイクル用組成物において、前記冷凍機油は、酸化防止剤、酸捕捉剤、金属不活性剤、油性剤および消泡剤のうち少なくとも１種が添加されていることを特徴としている。
【手続補正１２】
【補正対象書類名】明細書
【補正対象項目名】００３９
【補正方法】変更
【補正の内容】
【００３９】
本発明の冷凍サイクル用組成物において、前記冷凍機油は、ポリエステル油、ポリアルキレングルコール油、ポリビニルエーテル油およびフッ素系油のうち少なくとも１種以上が添加されていることを特徴としている。これらは、炭化水素と非相溶性が高く、極性を有する冷凍機油である。
【手続補正１３】
【補正対象書類名】明細書
【補正対象項目名】００４５
【補正方法】変更
【補正の内容】
【００４５】
本発明の乾燥剤は、前記冷凍サイクル用組成物を用いる系において収容される乾燥剤であって、細孔径が３．５オングストローム以下で、Ｎａ・Ｋ型アルミノケイ酸塩を含有するＡ型合成ゼオライトからなることを特徴としている。
【手続補正１４】
【補正対象書類名】明細書
【補正対象項目名】００４７
【補正方法】変更
【補正の内容】
【００４７】
本発明の乾燥剤において、前記乾燥剤は、破壊強度が５．０kg以上、摩耗強度が０．１重量％以下であることを特徴としている。また、本発明の乾燥剤において、前記乾燥剤の初期水分吸着容量は１０重量％以下であることを特徴としている。
【手続補正１５】
【補正対象書類名】明細書
【補正対象項目名】００４９
【補正方法】変更
【補正の内容】
【００４９】
本発明の冷媒圧縮機は、電線を備えた回転子と固定子とからなる電動機と、前記電動機に駆動連結される圧縮機構と、前記冷凍サイクル用組成物とを具備することを特徴としている。
【手続補正１６】
【補正対象書類名】明細書
【補正対象項目名】００５１
【補正方法】変更
【補正の内容】
【００５１】
本発明の冷媒圧縮機において、前記電線に配設される絶縁部材は、ポリエチレンテレフタレート（ＰＥＴ）、ポリエチレンナフタレート（ＰＥＮ）、ポリフェニレンサルファイド（ＰＰＳ）、ポリブチレンテレフタレート（ＰＢＴ）、ポリサルホン（ＰＳＦ）、ポリエーテルエーテルケトン（ＰＥＥＫ）、ポリアミドイミド（ＰＡＩ）およびポリイミド（ＰＩ）からなる群より選択される少なくとも１種の材質からなり、前記電線は、ポリエステルイミド、ポリアミドイミド、ポリアミドおよびポリイミドからなる群より選択される少なくとも１種の絶縁被覆層を有するシングルコートエナメル線、少なくとも２種の絶縁被覆層を有する多層コートエナメル線、または前記エナメル線と繊維もしくはフィルムとを組み合わせた複合電線から選ばれることを特徴としている。
【手続補正１７】
【補正対象書類名】明細書
【補正対象項目名】００５２
【補正方法】変更
【補正の内容】
【００５２】
本発明の冷媒圧縮機において、前記ポリエチレンテレフタレートは、０．６重量％以下のオリゴマーを含有していることを特徴とする。
【手続補正１８】
【補正対象書類名】明細書
【補正対象項目名】００５６
【補正方法】変更
【補正の内容】
【００５６】
本発明の冷媒圧縮機において、前記電線には固定するためにしばり糸が巻き付けられており、前記しばり糸はポリエチレンテレフタレート、ポリエチレンナフタレート、ポリフェニレンサルファイド、ポリブチレンテレフタレート、ポリサルホン、ポリエーテルエーテルケトン、ポリアミドイミドおよびポリイミドからなる群より選択される少なくとも１種の材質からなることを特徴としている。
【手続補正１９】
【補正対象書類名】明細書
【補正対象項目名】００５８
【補正方法】変更
【補正の内容】
【００５８】
本発明の冷媒圧縮機において、前記電線は、ポリエステルイミド、ポリアミドイミド、ポリアミドおよびポリイミドからなる群より選択される少なくとも１種の絶縁被覆層を有するシングルコートエナメル線、少なくとも２種の絶縁被覆層を有する多層コートエナメル線、または前記エナメル線と繊維もしくはフィルムとを組み合わせた複合電線から選ばれる。
【手続補正２０】
【補正対象書類名】明細書
【補正対象項目名】００５９
【補正方法】変更
【補正の内容】
【００５９】
本発明の冷媒圧縮機において、前記電線の下層材がポリエステル、上層材がポリアミドイミド、あるいは下層材がエステルイミド、上層材がポリアミドイミドであることを特徴としている。
【手続補正２１】
【補正対象書類名】明細書
【補正対象項目名】００６０
【補正方法】変更
【補正の内容】
【００６０】
本発明の冷媒圧縮機において、前記絶縁被覆層表面に接着層または自己潤滑層を少なくとも１層有することを特徴としている。
【手続補正２２】
【補正対象書類名】明細書
【補正対象項目名】００６１
【補正方法】変更
【補正の内容】
【００６１】
本発明の冷媒圧縮機において、前記電動機が樹脂でモールドされていることを特徴としている。
【手続補正２３】
【補正対象書類名】明細書
【補正対象項目名】００６２
【補正方法】変更
【補正の内容】
【００６２】
炭化水素系冷媒を用いた冷凍サイクルにおいて、安全性の面から、特に内部の電装部品の絶縁性と耐熱性が重要になってきた。ポリエステルに比べて、ポリエステルイミド、ポリアミドおよびポリアミドイミドは絶縁性と耐熱性に優れている。したがって、電線被覆材にポリエステルイミド、ポリアミドイミドエステル、ポリアミドイミド、ポリアミド、ポリイミドから選ばれた少なくとも１種の絶縁被覆層を有するシングルコートエナメル線、少なくとも２種の絶縁被覆層を有する多層コートエナメル線、および前記エナメル線と繊維またはフィルムとを組み合わせた複合電線を用いることで冷媒圧縮機の電線の絶縁性と耐熱性は向上し、信頼性が向上する。
【手続補正２４】
【補正対象書類名】明細書
【補正対象項目名】００６４
【補正方法】変更
【補正の内容】
【００６４】
本発明の冷媒圧縮機は、ポリエチレンテレフタレート、ポリエチレンナフタレート、ポリフェニレンサルファイド、ポリブチレンテレフタレートおよびポリサルホンからなる群より選択される少なくとも１種の材質からなる消音器（マフラー）および接続端子カバー（クラスター）をさらに具備することを特徴としている。
【手続補正２５】
【補正対象書類名】明細書
【補正対象項目名】００６７
【補正方法】変更
【補正の内容】
【００６７】
本発明の冷凍装置は、前記冷凍サイクル用組成物と、前記乾燥剤と、前記冷媒圧縮機とを具備することを特徴としている。